(57)【特許請求の範囲】
【請求項１】
被装着体に形成された開口より挿入されてその内部の装着部に装着される一方、前記装着部から外に引き出される装着体と、
前記装着体に固定される固定プレートと、
弾性変位部を有し、前記固定プレートに対して前記装着部への挿入方向及びこれと反対の引出し方向にスライド自在な可動プレートとを備え、
前記装着体が前記装着部に装着される際には、前記可動プレートに設けられた前記弾性変位部が前記挿入方向と略直交する左右方向に外側へ向かって変位し、前記装着部の内側壁に前記弾性変位部が圧接した状態で摺接しながら奥行き方向に押し込まれて前記装着体が前記装着部に固定され、
前記装着体が前記装着部から引き出される際には、前記可動プレートを前記装着部の奥行き方向へ押し込むことで、前記弾性変位部が前記挿入方向と略直交する左右方向に内側へ向かって変位し、前記装着部の内側壁と前記弾性変位部とが非接触となって前記装着体が前記装着部から引出し可能となる
ことを特徴とする装着体着脱機構。
【請求項２】
請求項１に記載の装着体着脱機構であって、
前記装着体が前記装着部に装着された状態において、前記弾性変位部を外側へ向かって変位した状態に保持させる保持手段を有していることを特徴とする装着体着脱機構。
【請求項３】
請求項２に記載の装着体着脱機構であって、
前記保持手段は、前記可動プレートに設けられた突起を有するプレート固定部材と、前記突起を挿入係合させる前記固定プレートに形成された位置決め孔とを有したことを特徴とする装着体着脱機構。
【請求項４】
請求項１〜３の何れかに記載の装着体着脱機構であって、
前記弾性変位部に突起部を設けると共に、前記固定プレートに前記突起部が入り込む孔とスライドガイド部とを設け、前記突起部がスライドガイド部に接触して前記弾性変位部が外側に変位し、前記突起部が前記孔に入り込んで前記弾性変位部が内側に変位することを特徴とする装着体着脱機構。
【請求項５】
請求項４に記載の装着体着脱機構であって、
前記スライドガイド部を外側に膨出させ、その膨出させたスライドガイド部に前記弾性変位部に設けられた前記突起部が乗り上がりさらに前記弾性変位部が変位することを特徴とする装着体着脱機構。
【請求項６】
請求項４又は請求項５に記載の装着体着脱機構であって、
前記弾性変位部は、前記固定プレートに形成された開口孔より該固定プレートの外側に臨み、前記開口孔周縁部に設けられた前記スライドガイド部に沿って摺動することを特徴とする装着体着脱機構。
【請求項７】
請求項１〜請求項６の何れかに記載の装着体着脱機構であって、
前記可動プレートは、上端縁に突出片を有し、前記固定プレートに対するスライド方向と略直交する上下方向に移動自在で、該可動プレートを前記引出し方向にスライドさせたときに、前記突出片が前記装着部の内上壁に圧接して前記装着体が前記装着部に固定されることを特徴とする装着体着脱機構。
【請求項８】
請求項１〜請求項７の何れかに記載の装着体着脱機構であって、
前記固定プレートと前記可動プレートは、少なくとも前記装着体の挿入方向と略直交する一側面に設けられていることを特徴とする装着体着脱機構。
【請求項９】
請求項１〜請求項８の何れかに記載の装着体着脱機構であって、
前記可動プレートが磁気シールド部材であることを特徴とする装着体着脱機構。
【請求項１０】
請求項１〜請求項９の何れかに記載の装着体着脱機構であって、
前記可動プレートには、該可動プレートをスライド操作させる操作片が設けられていることを特徴とする装着体着脱機構。
【請求項１１】
請求項１〜請求項１０の何れかに記載の装着体着脱機構であって、
前記固定プレートには、この固定プレートを前記装着部の開口周縁部に固定させるフランジ部が形成されていることを特徴とする装着体着脱機構。
【請求項１２】
請求項１〜請求項１１の何れかに記載の装着体着脱機構であって、
前記装着体は、ハードディスクドライブ装置であることを特徴とする装着体着脱機構。
【請求項１３】
請求項１〜請求項１２の何れかに記載の装着体着脱機構であって、
前記被装着体がエンタテインメント装置であることを特徴とする装着体着脱機構。
【請求項１４】
固定プレートと、前記固定プレートに対してスライド自在であり、且つ弾性変位部を有した可動プレートとを備えたプレートユニットであって、
前記固定プレートに対して前記可動プレートが一端へ向かってスライドしたときに、前記弾性変位部は外側へ向かって変位し、前記可動プレートが他端へ向かってスライドしたときに、前記弾性変位部は内側に向かって変位する
ことを特徴とするプレートユニット。
【請求項１５】
請求項１４に記載のプレートユニットであって、
前記弾性変位部を外側へ向かって変位した状態に保持させる保持手段を有していることを特徴とするプレートユニット。
【請求項１６】
請求項１５に記載のプレートユニットであって、
前記保持手段は、前記可動プレートに設けられた突起を有するプレート固定部材と、前記突起を挿入係合させる前記固定プレートに形成された位置決め孔とを有したことを特徴とするプレートユニット。
【請求項１７】
請求項１４〜請求項１６の何れかに記載のプレートユニットであって、
前記弾性変位部に突起部を設けると共に、前記固定プレートに前記突起部が入り込む孔とスライドガイド部とを設け、前記突起部がスライドガイド部に接触して前記弾性変位部が外側に変位し、前記突起部が前記孔に入り込んで前記弾性変位部が内側に変位することを特徴とするプレートユニット。
【請求項１８】
請求項１７に記載のプレートユニットであって、
前記スライドガイド部を外側に膨出させ、その膨出させたスライドガイド部に前記弾性変位部に設けられた前記突起部が乗り上がりさらに前記弾性変位部が変位することを特徴とするプレートユニット。
【請求項１９】
請求項１７又は請求項１８に記載のプレートユニットであって、
前記弾性変位部は、前記固定プレートに形成された開口孔より該固定プレートの外側に臨み、前記開口孔周縁部に設けられた前記スライドガイド部に沿って摺動することを特徴とするプレートユニット。
【請求項２０】
請求項１４〜請求項１９の何れかに記載のプレートユニットであって、
前記可動プレートは、上端縁に突出片を有し、前記固定プレートに対するスライド方向と略直交する上下方向に移動自在で、該可動プレートを前記一端にスライドさせたときに、前記突出片が前記上方向に移動することを特徴とするプレートユニット。
【請求項２１】
請求項１４〜請求項２０の何れかに記載のプレートユニットであって、
前記可動プレートが磁気シールド部材であることを特徴とするプレートユニット。
【請求項２２】
請求項１４〜請求項２１の何れかに記載のプレートユニットであって、
前記可動プレートには、該可動プレートをスライド操作させる操作片が設けられていることを特徴とするプレートユニット。
【請求項２３】
請求項１４〜請求項２２の何れかに記載のプレートユニットであって、
前記固定プレートには、フランジ部が形成されていることを特徴とするプレートユニット。
【発明の詳細な説明】
【０００１】
【発明の属する技術分野】
本発明は、装着体着脱機構に関し、詳細には、装着部にワンタッチで着脱自在となし得る装着体着脱機構及びプレートユニットに関する。
【０００２】
【従来の技術】
例えば、磁気記録ディスクの一つであるハードディスク（ＨＤ）においては、磁気ヘッドがハードディスクに対して僅か数ミクロンという間隙のフライトハイトでシーク動作するため、ハードディスクに外部から振動が加えられると、磁気ヘッドがハードディスクに接触するクラッシュなどが発生する虞れがある。
【０００３】
このため、通常は、ハードディスクドライブ装置の側面に設けられたネジ孔にネジを取り付けることによって、当該ハードディスクドライブ装置を直接ドライブ装置取付用ベイのフレームに固定している。ハードディスクドライブ装置をネジによってフレームに直接固定することで、外部振動が加わっても当該ハードディスクドライブ装置自体に加わる振動を和らげることができる。
【０００４】
【発明が解決しようとする課題】
しかしながら、ハードディスクドライブ装置をフレームに直接固定してしまうと、ドライブ装置取付用ベイから当該ハードディスクドライブ装置を簡単に取り出すことが困難となってしまう。特に、ハードディスクドライブ装置に変えて別のデバイスを前記ベイに装着するような場合には不便である。
【０００５】
なお、サーバ用途に使用されるコンピュータでは、ハードディスクドライブ装置をすっぽり収容することのできる専用ケースを用い、この専用ケースごとベイに装着してワンタッチで抜き差し可能としたものがある。しかし、専用ケースを使用するため、コスト高になるという不具合がある。
【０００６】
また、専用ケースの中には、ベイ内部の各壁面との間にそれぞれ一対のガイドレールを設けたものがある。しかしながら、前記ガイドレールを設けた場合には、ベイ内部の各壁面とハードディスクドライブ装置との間に比較的大きな空間が必要となり、ハードディスクドライブ装置を収納する筐体の大型化につながるという問題がある。さらに、ガイドレールを使用した際には、ガタが生じないように各ガイドレールを精密に加工する必要があるため、製造コストがやはり嵩んでしまうこととなる。
【０００７】
そこで、本発明は、上述の課題を解決するために提案されたものであり、ワンタッチで装着体の着脱が可能で、且つ装着体を装着したときにがたつきなく固定することができる低コストな装着体着脱機構及びプレートユニットを提供することにある。
【０００８】
【課題を解決するための手段】
本発明においては、固定プレートと、この固定プレートに対してスライド自在な弾性変位部を有した可動プレートを装着体に設ける。そして、この装着体を被装着体の装着部に装着させる際には、可動プレートに設けられた弾性変位部を挿入方向と略直交する左右方向に外側へ向かって変位させ、その変位した弾性変位部を装着部の内側壁に圧接した状態で摺接させながら奥行き方向に押し込んで前記装着体を装着部に固定させる。一方、装着体を装着部から引き出す際には、可動プレートを装着部の奥行き方向へ押し込むことで、前記弾性変位部が挿入方向と略直交する左右方向に内側へ向かって変位し、その変位した弾性変位部が装着部の内側壁と非接触となって前記装着体を前記装着部から引出し可能となる。
【０００９】
このように、固定プレートと、この固定プレートに対してスライド自在な弾性変位部を有した可動プレートを装着体に設け、可動プレートのスライド操作で装着部への装着体の固定及び装着部からの装着体の引出し作業がワンタッチで簡単に行え、しかも専用の収納ケースを必要とすることがない。
【００１０】
【発明の実施の形態】
［本実施形態の概要］
本実施形態は、被装着体に形成された装着部に装着体を取り付けるに際して、この装着体に、固定プレートと、この固定プレートに対してスライド自在な弾性変位部を有した可動プレートとを備えたプレートユニットを取り付け、前記可動プレートのスライド操作によって弾性変位部を外側または内側に変位させるようにし、装着体を装着部に装着させるときには弾性変位部を外側に変位させ、その変位した弾性変位部を装着部の内側壁に圧接させながら装着体を奥行き方向に押し込んで装着固定し、装着体を装着部から引き出すときには弾性変位部を内側に変位させ、その変位した弾性変位部を装着部の内側壁と非接触として装着体を装着部から引き出すようにして、ワンタッチで装着体の着脱を行えるようにした。
【００１１】
以下に、本発明に係るプレートユニットを、ハードディスクドライブ装置に取り付け、そのプレートユニットが取り付けられたハードディスクドライブ装置着脱機構を、エンタテインメントシステムを構成するエンタテインメント装置に着脱可能とした例として図面を参照しながら詳細に説明する。
【００１２】
［エンタテインメントシステムの概略構成］
エンタテインメントシステムは、図１に示すように、各種のテレビゲームを実行したり電子メールの作成や編集、Ｗｅｂページの閲覧、映画や音楽の再生なども行うことのできるエンタテインメント装置１と、このエンタテインメント装置１に接続される操作端末であるコントローラ２と、ゲーム内容、電子メール、Ｗｅｂページ、映画などを表示すると共に音を出力するテレビジョンモニタ装置３とからなるシステムである。
【００１３】
［エンタテインメント装置］
エンタテインメント装置１は、例えばＣＤ−ＲＯＭ、ＤＶＤ−ＲＯＭなどの光ディスクや半導体メモリなどの記録媒体から読み出すか、若しくは、電話回線、ＬＡＮ、ＣＡＴＶ回線、通信衛星回線などの各種転送媒体を介してダウンロードされたゲーム、電子メール、Ｗｅｂブラウザ用のアプリケーションプログラムと、コントローラ２を介した操作者からの指示とに応じて、ゲームを実行したり、電子メールの作成、編集、Ｗｅｂページの閲覧のための各種処理を実行する他、ＣＤに記録されたオーディオデータやＤＶＤに記録された映画などのビデオ及びオーディオデータを再生（デコード）可能な装置である。
【００１４】
このエンタテインメント装置１の前面には、図１に示すように、コントローラ２に接続されるケーブル４の先端に設けられたコネクタ５が着脱自在とされる二つのコントローラポート６、７と、メモリカード８が着脱自在とされるメモリカードスロット９、１０と、ＤＶＤ−ＲＯＭやＣＤ−ＲＯＭなどの光ディスクが装填されるディスクトレイ１１と、ディスクトレイ１１をオープンまたはクローズさせるオープン／クローズボタン１２と、電源のオン、スタンバイ、ゲームのリセットを行うためのオン／スタンバイ／リセットボタン１３と、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４接続端子１４と、二つのＵＳＢ（Ｕｎｉｖｅｒｓａｌ  Ｓｅｒｉａｌ  Ｂｕｓ）接続端子１５、１６などが設けられている。
【００１５】
また、エンタテインメント装置１の背面には、電源スイッチ、音声映像出力端子（ＡＶマルチ出力端子）、光デジタル出力端子、ＡＣ電源入力端子（何れも図示は省略する）が設けられている。さらに、例えばハードディスクドライブ装置１７を装置本体内に収容させるための拡張ベイが設けられている。
【００１６】
［テレビジョンモニタ装置］
テレビジョンモニタ装置３は、図１に示すように、エンタテインメント装置１の背面に設けられた音声映像出力端子にケーブル１８を介して接続される。このテレビジョンモニタ装置３のモニタ画面１９には、前記したゲーム内容、電子メール、Ｗｅｂページ、映画などが表示される。また、テレビジョンモニタ装置３のスピーカからは、ゲームなどの音声が出力される。
【００１７】
［コントローラ］
コントローラ２は、図１に示すように、操作者が両手で握って操作し得る左把持部２０と右把持部２１を有したコントローラ本体を有し、そのコントローラ本体の上面または前面に各種操作ボタンなどを有している。コントローラ本体の左上面には、例えばテレビゲームにおいてゲームキャラクタをモニタ画面１９上で上下左右に移動させたり、電子メール作成画面上で文字入力カーソルを上下左右に移動させたり、Ｗｅｂページ閲覧中にページスクロールを行ったり、画面上のカーソルを上下左右方向に移動させたりする際に、操作者が操作する上下左右方向指示キー２２が設けられている。これら上下左右方向指示キー２２は、例えばコントローラを両手で握ったときに左手の親指で操作される。
【００１８】
また、コントローラ本体の右上面には、例えばアプリケーションプログラムによりそれぞれ異なる機能が割り付けられる４つの指示ボタン２３が設けられている。これら指示ボタン２３には、例えばメニューの表示を指定する機能、選択した項目の取り消し等を指定する機能、選択した項目の決定などを指定する機能、目次などの表示／非表示を指定する機能などが割り付けられる。
【００１９】
また、コントローラ本体の上面中央には、ゲーム開始や電子メール画面の表示開始、映画や音楽の再生開始、一時停止などを指示するためのスタートボタン２４、モニタ画面１９上にメニュー表示や操作パネルを表示させる指示などを行うためのセレクトボタン２５、操作モードの選択を行うためのモード選択スイッチ２６、選択モード表示をする点灯表示部２７、ジョイスティック操作を行う左右のアナログ操作部２８、２９などを備えている。
【００２０】
また、コントローラ本体の前面には、例えば左右の人差し指によりそれぞれ押下操作される左右の押下ボタン３０、３２が設けられている。
【００２１】
［ハードディスクドライブ装置着脱機構］
ハードディスクドライブ装置着脱機構は、エンタテインメント装置１の拡張ベイにワンタッチで着脱自在となるように装着可能に構成されたもので、図２に示すように、ハードディスクドライブ装置１７に固定される固定プレート３２と、この固定プレート３２に対してスライド自在な可動プレート３３とを備えたプレートユニットから構成される。
【００２２】
［固定プレート］
固定プレート３２は、図２〜図４に示すように、ハードディスクドライブ装置１７の挿入方向と略直交する両側面にネジによって固定され、後述する可動プレート３３のスライド動作を案内するガイドとして機能する。かかる固定プレート３２は、図３及び図７に示すように、ハードディスクドライブ装置１７の側面全体をほぼ覆って設けられる金属板からなり、ハードディスクドライブ装置１７の厚み方向である高さ方向の略中間位置で屈曲するように折り曲げ形成された下面プレート部３４と上面プレート部３５とからなる。
【００２３】
下面プレート部３４には、図４及び図７に示すように、ハードディスクドライブ装置１７の下面を下から支える舌片部３６が設けられている。かかる舌片部３６は、下面プレート部３４の下端先端よりこの下面プレート部３４に対して略直角に設けられており、ハードディスクドライブ装置１７の挿入端位置と略中央部寄りの位置とインタフェース接続用コネクタ３７（図３参照）が設けられる挿入後端寄りの位置にそれぞれ設けられている。
【００２４】
また、下面プレート部３４には、固定プレート３２をハードディスクドライブ装置１７の側面に設けられたネジ孔にネジを締め付けて固定するためのプレート固定用孔３８が形成されている。プレート固定用孔３８は、ハードディスクドライブ装置１７に設けられたネジ孔の位置に応じて形成されており、ネジ孔との位置合わせが可能なように長孔として形成されている。
【００２５】
また、この下面プレート部３４には、後述する可動プレート３３に設けられた弾性変位部５５のスライドをガイドするスライドガイド部３９が設けられている。図２中向かって右側の固定プレート３２に設けられたスライドガイド部３９は、平坦な面とされているが、左側の固定プレート３２に設けられたスライドガイド部３９は、ハードディスクドライブ装置１７と対向する側とは反対側に膨出している。
【００２６】
前記スライドガイド部３９は、弾性変位部５５のスライドをガイドする役目の他に、当該弾性変位部５５の先端付近に設けられた突起部５７がこのスライドガイド部３９に接触することによって、前記弾性変位部５５をハードディスクドライブ装置１７から離れる方向である外側へ変位させる役目をする。特に、左側の固定プレート３２では、膨出するスライドガイド部３９に前記突起部５７が乗り上がるため、左側の弾性変位部５５は右側の弾性変位部５５に対してより一層外側へ変位することになる。
【００２７】
また、スライドガイド部３９には、弾性変位部５５を外側へ変位させる必要がないとき（つまり、ハードディスクドライブ装置１７を拡張ベイから引き出すとき）には、前記突起部５７と前記スライドガイド部３９とを非接触とするための逃げ孔４０が形成されている。この逃げ孔４０に弾性変位部５５の突起部５７が入り込むことで、弾性変位部５５はハードディスクドライブ装置１７と接する方向である内側に変位する。なお、スライドガイド部３９は、弾性変位部５５が設けられるハードディスクドライブ装置１７の挿入端寄りの位置と略中央寄りの位置と挿入後端寄りの位置にそれぞれ設けられている。
【００２８】
上面プレート部３５は、図８及び図９に示すように、下面プレート部３４に対してハードディスクドライブ装置１７と離れる方向に若干オフセットして設けられている。そして、この上面プレート部３５には、後述する可動プレート３３に設けられたプレート固定部材であるプレート固定アーム６０をハードディスクドライブ装置１７と対向する面とは反対側の外側面に臨ませるための挿入孔部４１が形成されている。
【００２９】
また、上面プレート部３５の先端部には、図２及図９に示すように、ハードディスクドライブ装置１７側へ向かって略直角に形成される長さの短いつば部４２が長手方向に亘って形成されている。このつば部４２には、後述する可動プレート３３に設けられたスライドガイド片６４を案内する案内溝４３が形成されている。案内溝４３は、前記つば部４２の一部を切り欠くことで形成されており、前記スライドガイド片６４がスライドする位置にそれぞれ設けられている。
【００３０】
また、上面プレート部３５には、図７〜図９に示すように、前記挿入孔部４１を介してこの上面プレート部３５の外側面に臨むプレート固定アーム６０の先端付近に形成されたプレート位置決め用突起６１を挿入係合させる位置決め孔４４が形成されている。この位置決め孔４４が形成される開口周縁部には、図９に示すように、プレート固定アーム６０の先端側形状に応じてハードディスクドライブ装置１７側にへこんだ凹部４５が形成されている。
【００３１】
また、上面プレート部３５には、エンタテインメント装置１の拡張ベイである装着部４６にハードディスクドライブ装置１７を装着固定したときに、前記固定プレート３２を装着部４６の開口周縁部に固定するためのフランジ部４７が設けられている。そして、このフランジ部４７には、装着部４６の開口周縁部に形成されたネジ孔と対向する位置にネジ取付用孔４８が形成されている。
【００３２】
また、上面プレート部３５には、図２及び図４に示すように、可動プレート３３のスライド位置を規制するためのスライド位置規制用孔４９が形成されている。このスライド位置規制用孔４９は、ハードディスクドライブ装置１７の挿入端寄りの位置に略矩形孔として形成されている。そして、このスライド位置規制用孔４９の開口端には、可動プレート３３を挿入方向に押し込んだときに、該可動プレート３３に設けられたスライド位置決め用片６２が当接して、当該可動プレート３３のスライド終端位置が規制される。前記スライド位置決め用片６２は、前記ハードディスクドライブ装置１７を装着部４６から引き出すに際して、前記可動プレート３３を挿入方向に押し込んだときにのみ前記スライド位置規制用孔４９の開口端に当接する。
【００３３】
そして、前記下面プレート部３４と上面プレート部３５の連結部である屈曲部には、図４及び図７に示すように、可動プレート３３の弾性変位部５５を挿入させてスライドガイド部３９へと臨ませるための挿入孔部５０が形成されている。また、この屈曲部分には、図２、図８及び図９（ｂ）に示すように、後述する可動プレート３３をハードディスクドライブ装置１７の挿入方向と略直交する垂直方向（上下方向）に上昇移動させる可動プレート昇降片５１が設けられている。この可動プレート昇降片５１の一端には、可動プレート３３をスムーズに昇降させるためのテーパ部５１ａが設けられている。
【００３４】
［可動プレート］
可動プレート３３は、図２〜図４に示すように、前記した固定プレート３２とハードディスクドライブ装置１７との間に設けられ、前記装着部４６への挿入方向及びこれと反対の引出し方向にスライド自在とされる。かかる可動プレート３３は、前記した上面プレート部３５の高さ方向における幅よりも若干狭い幅とされた長尺形状をなす本体プレート部５６と、その本体プレート部５６の長手方向両端部にそれぞれハードディスクドライブ装置１７側にほぼ直角に折れ曲がったスライド端位置決め片５２と、スライド操作片５３とからなる。
【００３５】
スライド端位置決め片５２は、図３に示すように、可動プレート３３をインタフェース接続用コネクタ３７が設けられる引出し方向に引いたときに、ハードディスクドライブ装置１７の挿入先端面１７ａに接触して当該可動プレート３３の引出し方向におけるスライド始端位置を規制する。
【００３６】
一方、ハードディスクドライブ装置１７の引出し方向に設けられるスライド操作片５３は、可動プレート３３をスライドさせるときに手で握って操作するための操作片として機能する。このスライド操作片５３には、引出し方向に突出する小さな半球状をなす突出部５４が設けられている。
【００３７】
また、本体プレート部５６の下端縁には、図４に示すように、前記した固定プレート３２に形成された挿入孔部５０を介して該固定プレート３２の外側面に臨む弾性変位部５５が設けられている。かかる弾性変位部５５は、図１０に示すように、本体プレート部５６に対してハードディスクドライブ装置１７と離れる方向にシフトする形で下方に延在して設けられている。この弾性変位部５５は、先端が斜めに折れ曲がった略くの字形状をなす舌片として形成されている。そして、この弾性変位部５５の先端側である折れ曲がれ部には、図１１に示すように、ハードディスクドライブ装置１７と対向する側に突出する突起部５７が形成されている。この突起部５７が前記したスライドガイド部３９に接触又は膨出するスライドガイド部３９に乗り上がることで、前記弾性変位部５５が外側へ向かって変位する。
【００３８】
また、本体プレート部５６の下端縁には、図２及び図１０に示すように、プレート昇降用突部５８が設けられている。かかるプレート昇降用突部５８は、固定プレート３２に設けられた可動プレート昇降片５１に乗り上がって可動プレート３３を上昇させる機能をする。また、このプレート昇降用突部５８の隣りには、可動プレート３３が引出し方向にスライドされたときに、固定プレート３２に設けられた可動プレート昇降片５１と接触しないように逃げ溝５９が設けられている。
【００３９】
また、本体プレート部５６には、図２及び図１０に示すように、プレート固定部材であるプレート固定アーム６０が設けられている。プレート固定アーム６０は、図１１（ｂ）に示すように、本体プレート部５６の一部を切り曲げることによって、その先端側を自由端とする片持ち梁となるアームとして形成されている。そして、このプレート固定アーム６０は、本体プレート部５６に対して略平行に且つ外方へ突出して設けられている。また、このプレート固定アーム６０の先端側には、前記固定プレート３２に形成された位置決め孔４４に係合するプレート位置決め用突起６１が設けられている。このプレート位置決め用突起６１は、ハードディスクドライブ装置１７と対向する内側方向に突出する半球状をなす突起として形成されている。
【００４０】
また、本体プレート部５６には、図２及び図１０に示すように、前記した固定プレート３２のスライド位置規制用孔４９に臨むスライド位置決め用片６２が設けられている。スライド位置決め用片６２は、本体プレート部５６の一部を垂直に切り起こして形成されており、前記スライド位置規制用孔４９に臨んでこの開口周縁に係合して前記可動プレート３３の押し込み方向におけるスライド終端位置を規制する。
【００４１】
また、本体プレート部５６には、図２及び図１０に示すように、固定プレート３２の内面に接触してこの固定プレート３２に対するスライドガイドとして機能するスライドガイド突条部６３が設けられている。このスライドガイド突条部６３は、固定プレート３２と対向する側に突出し、長手方向両端を円弧状とした長尺状の突条として形成されている。そして、このスライドガイド突条部６３の平坦面は、前記固定プレート３２の内面と面接触して摺接しながら前記固定プレート３２に対する前記可動プレート３３のスライド移動をガイドする。このスライドガイド突条部６３を前記可動プレート３３に設けることで、プレス加工による製造時に当該可動プレート３３を打ち抜き易くすることができると共に、該可動プレート３３自体の剛性を上げることができる。
【００４２】
また、本体プレート部５６の上端縁には、図２及び図１０に示すように、固定プレート３２に設けられた案内溝４３に臨むスライドガイド片６４が設けられている。かかるスライドガイド片６４は、可動プレート３３がスライド操作されたときに、前記案内溝４３にガイドされて移動する。また、このスライドガイド片６４は、図１４に示すように、前記可動プレート３３を引出し方向にスライドさせたときに、ハードディスクドライブ装置１７の高さ方向である上方に突出して前記装着部４６の内上壁４６ｂに圧接する。
【００４３】
このように構成された可動プレート３３は、前記固定プレート３２に対して前記装着部４６への挿入方向及びこれと反対の引出し方向にスライド自在であると共に、このスライド方向とは略直交する上下方向に移動自在とされている。すなわち、可動プレート３３に設けられたプレート昇降用突部５８が固定プレート３２に設けられた可動プレート昇降片５１と接触しない非接触の状態（図１２参照）から可動プレート３３を引き出し方向（図１３中Ｂ方向）にスライドさせると、図１３に示すように、前記プレート昇降用突部５８が前記可動プレート昇降片５１のテーパ部５１ａに接触する。
【００４４】
そして、このプレート昇降用突部５８は、図１４中矢印Ｃで示すように、前記テーパ部５１ａの斜面に沿って上昇して行き、最終的にテーパ部５１ａを登りきる。プレート昇降用突部５８が可動プレート昇降片５１上に到達する過程で、前記可動プレート３３に設けられた弾性変位部５５の突起部５７が固定プレート３２に設けられたスライドガイド部３９に接触又は膨出したスライドガイド部３９に乗り上がる。これにより、弾性変位部５５は、ハードディスクドライブ装置１７から離れる方向である外側へと変位する。また、スライドガイド片６４は、前記プレート昇降用突部５８がプレート昇降片５１上に載ることで、固定プレート３２の上端縁より上方に突出する。
【００４５】
［ハードディスクドライブ装置着脱機構の動作説明］
次に、上述のように構成されたハードディスクドライブ装置の着脱機構の動作を説明する。先ず、ハードディスクドライブ装置１７の装着動作について説明し、次に、ハードディスクドライブ装置１７の引出し動作について説明する。
【００４６】
［ハードディスクドライブ装置の装着動作］
エンタテインメント装置１にハードディスクドライブ装置１７を装着するには、先ず、図３及び図４に示すように、弾性変位部５５がハードディスクドライブ装置１７の前記装着部４６への挿入方向と略直交する左右方向に外側に向かって変位した状態且つスライドガイド片６４が上方に突出した状態、つまり可動プレート３３のスライド端位置決め片５２がハードディスクドライブ装置１７の挿入先端面１７ａに当接した状態（図３に示す状態）から、前記ハードディスクドライブ装置１７をエンタテインメント装置１に形成されたハードディスクドライブ装置挿脱口である開口部６５に挿入する。ハードディスクドライブ装置１７の挿入方向は、インタフェース接続用コネクタ３７が設けられた側とは反対側を挿入側とする。
【００４７】
ハードディスクドライブ装置１７を前記開口部６５から前記装着部４６の奥行き方向へと挿入して行くと、外側に向けて変位した弾性変位部５５は、前記装着部４６の内側壁４６ａを押圧しながら摺接されて行く。このとき、挿入方向の左側に設けられた弾性変位部５５は、膨出するスライドガイド部３９に乗り上がっているため、前記挿入方向の右側に設けられた弾性変位部５５よりもその変位量が大となっている。このため、ハードディスクドライブ装置１７は、前記装着部４６の右内側壁４６ａに押し付けられる形で挿入される。一方、上方に突出したスライドガイド片６４は、図３に示すように、前記装着部４６の内上壁４６ｂに圧接されながら摺接されて行く。
【００４８】
このように、ハードディスクドライブ装置１７の前記装着部４６への挿入時に、前記ハードディスクドライブ装置１７を前記装着部４６の右内側壁４６ａに押し付けるようにして挿入して行くため、ドライブ自体の大きさに個体差があっても、スムーズにハードディスクドライブ装置１７を前記装着部４６に装着することができる。
【００４９】
最終的に図３及び図４に示すように、この弾性変位部５５の前記内側壁４６ａへの押圧力及びスライドガイド片６４の前記内上壁４６ｂへの押圧力で、前記ハードディスクドライブ装置１７が前記装着部４６に固定される。ハードディスクドライブ装置１７が装着部４６に固定された状態では、プレート固定アーム６０に設けられたプレート位置決め用突起６１が固定プレート３２に設けられた位置決め孔４４に挿入係合してロックされ、前記可動プレート３３と前記固定プレート３２とが固定されることにより、前記弾性変位部５５の外側への変位状態が保持される。
【００５０】
なお、最終的にハードディスクドライブ装置１７を装着部４６に固定するには、固定プレート３２に設けられたフランジ部４７を、前記装着部４６の開口周縁部にネジ止めする。
【００５１】
このように、前記弾性変位部５５が前記装着部４６の内側壁４６ａを押圧し且つ前記スライドガイド片６４が内上壁４６ｂを押圧することによって、前記ハードディスクドライブ装置１７を前記装着部４６に固定しているため、仮にエンタテインメント装置１に振動が加わっても、当該ハードディスクドライブ装置１７の機能に支障を来すことはない。
【００５２】
［ハードディスクドライブ装置の引出し操作］
図３の装着固定状態からハードディスクドライブ装置１７を引き出すには、可動プレート３３を、図５に示すように装着部４６の奥行き方向に押し込む。すると、可動プレート３３に設けられたプレート位置決め用突起６１が前記した固定プレート３２の位置決め孔４４から抜け出し、前記可動プレート３３の前記固定プレート３２に対するロックが解除され、当該可動プレート３３のスライド移動が可能となる。
【００５３】
可動プレート３３が装着部４６の奥行き方向に押し込まれると、今度は図１４に示すように可動プレート昇降片５１上に位置していた前記プレート昇降用突部５８が、この可動プレート昇降片５１に設けられたテーパ部５１ａに沿って下降して行き、図１３の状態を経て最終的に図１２に示すように固定プレート３２の屈曲部上に載る。この過程で、弾性変位部５５の先端側に設けられた突起部５７は、図６に示すように、前記スライドガイド部３９から離れ、前記固定プレート３２に形成された逃げ孔４０に入り込む。
【００５４】
その結果、弾性変位部５５は、装着部４６の内側壁４６ａを押圧していた状態からハードディスクドライブ装置１７と対向する内側へと変位し、図５に示すように、前記弾性変位部５５が前記内側壁４６ａに対して非接触状態となる。一方、可動プレート３３の押し込み動作によりスライドガイド片６４は、図６の突出状態から一段下がった状態となり、前記装着部４６の内上壁４６ｂと非接触状態となる。
【００５５】
そして、さらに可動プレート３３を奥行き方向に押し込むと、固定プレート３２に設けられたスライド位置規制用孔４９の開口周縁部に、図６に示すように、前記可動プレート３３に設けられたスライド位置決め用片６２が当接する。このスライド位置規制用孔４９の開口周縁部に前記スライド位置決め用片６２が当接することで、前記可動プレート３３がそれ以上奥行き方向にスライドすることが不可能となる。
【００５６】
このように、可動プレート３３を装着部４６の奥行き方向に押し込むと、弾性変位部５５が装着部４６の内側壁４６ａと非接触となり、且つスライドガイド片６４も内上壁４６ｂと非接触となるため、ハードディスクドライブ装置１７を手前に引き出すことで簡単に、当該ハードディスクドライブ装置１７を装着部４６から引き出すことができる。
【００５７】
［他の実施形態］
例えば、上述の実施形態では、エンタテインメント装置１の拡張ベイにハードディスクドライブ装置１７を内蔵する例としたが、このエンタテインメント装置１の背面に設けられるＰＣカードインタフェースを経由して接続可能な、エンタテインメント装置１とは別体の外付けケース（被装着体）にハードディスクドライブ装置１７を着脱自在とするようにしても同様の作用効果がある。
【００５８】
また、上述の実施形態では、ハードディスクドライブ装置１７の両側面に固定プレート３２と可動プレート３３を取り付けたが、片方の側面のみに固定プレート３２と可動プレート３３を設けるようにしても構わない。
【００５９】
また、上述の実施形態では、装着体としてハードディスクドライブ装置１７を例にとって説明したが、ハードディスクドライブ装置１７に制限されることはない。
【００６０】
【発明の効果】
本発明は、以上説明したような形態で実施され、以下に記載されるような効果を奏する。
【００６１】
本発明によれば、ワンタッチで装着体の着脱が可能で、且つ装着体を装着したときにがたつきなく固定することができる低コストな装着体着脱機構及びプレートユニットを提供することができる。
【００６２】
また、本発明によれば、装着体の大きさに個体差があっても、弾性変位部を有した可動プレートと固定プレートとからなるプレートユニットによって前記個体差を吸収できるため、装着体を被装着体に対して速やかに着脱させることできる。
【図面の簡単な説明】
【図１】エンタテインメントシステムの概略構成を示す図である。
【図２】装着体着脱機構の分解斜視図である。
【図３】可動プレートを手前に引いて弾性変位部を外側へ変位させた状態の装着体着脱機構を示すもので、（ａ）はその平面図、（ｂ）は右側面図である。
【図４】可動プレートを手前に引いて弾性変位部を外側へ変位させた状態の装着体着脱機構の側面図である。
【図５】可動プレートを奥行き方向に押し込んで弾性変位部を内側へ変位させた状態の装着体着脱機構を示すもので、（ａ）はその平面図、（ｂ）は右側面図である。
【図６】可動プレートを奥行き方向に押し込んで弾性変位部を内側へ変位させた状態の装着体着脱機構の側面図である。
【図７】固定プレートを示すもので、（ａ）は平面図、（ｂ）は正面図、（ｃ）は右側面図である。
【図８】固定プレートをハードディスクと対向する側から見た状態を示す正面図である。
【図９】固定プレートを示すもので、（ａ）は図８のＤ−Ｄ線における拡大断面図、（ｂ）は図８のＥ−Ｅ線における拡大断面図である。
【図１０】可動プレートを示すもので、（ａ）は平面図、（ｂ）は正面図、（ｃ）は右側面図である。
【図１１】可動プレートを示すもので、（ａ）は図１０のＦ−Ｆ線における拡大断面図、（ｂ）は図１０のＧ−Ｇ線における拡大断面図である。
【図１２】可動プレートを装着部の奥行き方向にスライドさせた状態において、プレート昇降用突部が可動プレート昇降片に対して非接触である状態を示す要部拡大平面図である。
【図１３】可動プレートをインタフェース接続用コネクタが設けられる手前方向にスライドさせた途中状態において、プレート昇降用突部が可動プレート昇降片に接触している状態を示す要部拡大平面図である。
【図１４】可動プレートを完全に手前に引いた状態において、プレート昇降用突部が可動プレート昇降片に乗り上がった状態を示す要部拡大平面図である。
【符号の説明】
１・・・エンタテインメント装置，１７・・・ハードディスクドライブ装置，３２・・・固定プレート，３３・・・可動プレート，３９・・・スライドガイド部，４１・・・挿入孔部，４４・・・位置決め孔，４６・・・装着部，４６ａ・・・内側壁，４６ｂ・・・内上壁，４７・・・フランジ部，５１・・・可動プレート昇降片，５２・・・スライド端位置決め片，５３・・・スライド操作片，５５・・・弾性変位部，５７・・・突起部，５８・・・プレート昇降用突部，６０・・・プレート固定アーム，６１・・・プレート位置決め用突起，６５・・・開口
【図１】
0003549856.tif 000002
【図２】
0003549856.tif 000003
【図３】
0003549856.tif 000004
【図４】
0003549856.tif 000005
【図５】
0003549856.tif 000006
【図６】
0003549856.tif 000007
【図７】
0003549856.tif 000008
【図８】
0003549856.tif 000009
【図９】
0003549856.tif 000010
【図１０】
0003549856.tif 000011
【図１１】
0003549856.tif 000012
【図１２】
0003549856.tif 000013
【図１３】
0003549856.tif 000014
【図１４】
0003549856.tif 000015